(57)【特許請求の範囲】
【請求項１】
波形断面を有するデッキプレートと、このデッキプレートの下側を支え、前記波の波長方向に長く、互いに平行に配置され、平らな一側面を互いに平行に対向させる一対の上部鋼材と、これら一対の上部鋼材の間に、これら上部鋼材の長手方向に対し直角方向に配置され、所定間隔で、逆ハの字状に向かい合って斜めに位置し、前記平らな側面に沿って両側縁が固定される一対の上部取付鋼板と、これらの上部取付鋼板に上端が固定され逆ハの字状に配置される斜め鋼材と、これらの一対の斜め鋼材の下端が固定されるため断面が逆ハの字状の両側面を有し、前記波の波長方向に対し直角方向に配置される下部鋼材と、を有することを特徴とするデッキプレートの三角トラス。
【請求項２】
前記一対の上部鋼材は、形鋼であり、この形鋼の平らな一側面を互いに平行に対向させた状態で配置され、前記斜め鋼材は形鋼であり、この鋼材の平らな一側面を前記上部取付鋼板の面に沿って固定されることを特徴とする請求項１に記載のデッキプレートの三角トラス。
【請求項３】
前記下部鋼材は、一対の溝形鋼を、これら溝形鋼のコの字断面の開口部を互いに向かい合わせ、両コの字の下縁部を溶接することで、両コの字の底部で逆ハの字状の両側面を形成することを特徴とする請求項１、または２に記載のデッキプレートの三角トラス。
【請求項４】
前記下部鋼材は、帯状の鋼板を曲げ加工して、開いたあるいは閉じた略箱形断面を有し、この略箱形の両側面が逆ハの字状を形成することを特徴とする請求項１、２、または３に記載のデッキプレートの三角トラス。
【請求項５】
前記下部鋼材は、長手方向の複数箇所に、断面の空間形状と同じ形状の鋼板が補強材として固定されていることを特徴とする請求項１、２、３、または４に記載のデッキプレートの三角トラス。
【発明の詳細な説明】
【０００１】
【発明の属する技術分野】
この発明は、例えば構造物の屋根部分を構成するのに用いられるデッキプレートの下側を支える三角トラスの構造に関する。
【０００２】
【従来の技術】
図５および図６に示すように、このようなデッキプレート１０１の下側を支える三角トラスの構造１０３は、例えば、デッキプレート１０１の下側を支える上部形鋼１０５に対し、長手方向の所定間隔で、一対の上部取付鋼板１０７が溶接される。この一対の上部取付鋼板１０７は、中央部が上部形鋼１０５の断面形状に切り欠かれ、下部が屈曲されて、この屈曲部分１０９が逆ハの字状に向かい合って斜めに配置される。
【０００３】
そして、これらの屈曲部１０９に斜め形鋼１１１の上端が溶接される。このようにして斜め形鋼１１１は一対が逆ハの字状に配置され、両下端が下部取付鋼板１１３に溶接される。下部取付鋼板１１３は、上部形鋼１０５に対し直角方向に配置される下部鋼材１１５に溶接される。この下部取付鋼板１１３は、中央部が下部形鋼１１５の断面形状に切り欠かれ、斜めに配置される。
【０００４】
また、他の従来例では、デッキプレート１０１の波形断面において、波形の下の両側面１０１Ａに、一対の形鋼あるいは一対の棒材（斜め形鋼に相当）の両上端を逆ハの字状に溶接する。そして、両下端を、デッキプレート１０１と平行に配置される形鋼あるいは棒材（下部形鋼に相当）に溶接する構造であった。
【０００５】
【発明が解決しようとする課題】
しかしながら、従来の前者の構造（図５および図６）では、上部取付鋼板や下部取付鋼板は、上部形鋼や下部形鋼に対し、しっかりと溶接され固定されるために、上部形鋼や下部形鋼の断面形状に切り欠かれ、あるいは斜め鋼材の傾斜に会わせて一部が屈曲される必要もある。このような複雑な形状を有する上部取付鋼板や下部取付鋼板は、下部形鋼の長手方向に沿って多数が配置されなくてはならず、工場における形状加工や溶接の作業が多く、コストを高くしていた。
【０００６】
また、従来の後者の構造では、斜め形鋼（あるいは棒材）の両上端を溶接する溶接部分が、デッキプレートの波形断面の両側面となり、波形の寸法によっては溶接部分が小さくなり、小規模の三角トラスしか得られないものであった。
この発明は、以上の課題を解決するためになされたもので、斜め鋼材を取り付けるための形状加工や溶接の作業を少なくしてコストを抑えられ、大規模のものを得られるデッキプレートの三角トラスを提供することを目的とする。
【０００７】
【課題を解決するための手段】
以上の課題を解決するために、第一の発明は、デッキプレートの下側を支える三角トラスにおいて、逆ハの字状に配置される斜め鋼材の下端が固定されるための下部鋼材の断面が、逆ハの字状の両側面を有することを特徴とするデッキプレートの三角トラスである。
【０００８】
第二の発明は、波形断面を有するデッキプレートと、このデッキプレートの下側を支え、前記波の波長方向に長く、互いに平行に配置され、平らな一側面を互いに平行に対向させる一対の上部鋼材と、これら一対の上部鋼材の間に、これら上部鋼材の長手方向に対し直角方向に配置され、所定間隔で、逆ハの字状に向かい合って斜めに位置し、前記平らな側面に沿って両側縁が固定される一対の上部取付鋼板と、これらの上部取付鋼板に上端が固定され逆ハの字状に配置される斜め鋼材と、これらの一対の斜め鋼材の下端が固定されるため断面が逆ハの字状の両側面を有し、前記波の波長方向に対し直角方向に配置される下部鋼材と、を有することを特徴とするデッキプレートの三角トラス。
【０００９】
第三の発明は、さらに、前記一対の上部鋼材は、形鋼であり、この形鋼の平らな一側面を互いに平行に対向させた状態で配置され、前記斜め鋼材は形鋼であり、この鋼材の平らな一側面を前記上部取付鋼板の面に沿って固定されることを特徴とするデッキプレートの三角トラスである。
第四の発明は、さらに、前記下部鋼材は、一対の溝形鋼を、これら溝形鋼のコの字断面の開口部を互いに向かい合わせ、両コの字の下縁部を溶接することで、両コの字の底部で逆ハの字状の両側面を形成することを特徴とするデッキプレートの三角トラスである。
【００１０】
第五の発明は、さらに、前記下部鋼材は、帯状の鋼板を曲げ加工して、開いたあるいは閉じた略箱形断面を有し、この略箱形の両側面が逆ハの字状を形成することを特徴とするデッキプレートの三角トラスである。
第６の発明は、さらに、前記下部鋼材は、長手方向の複数箇所に、断面の空間形状と同じ形状の鋼板が補強材として固定されていることを特徴とするデッキプレートの三角トラスである。
【００１１】
【発明の実施の形態】
この発明の実施の１形態を、図１〜図４に示す。
この実施形態のデッキプレート１は建物の屋根部分３を構成するもので、図４に示すように、波形断面を有する。
このデッキプレート１の下側は、上部鋼材５である溝形鋼によって支えられる。この上部鋼材５は、デッキプレート１の波形の波長方向に長く、一対が互いに平行に配置される。そして、溝形鋼の平らな一側面５Ａ、つまり断面コの字の底部を、互いに平行に対向させる。
【００１２】
これら一対の上部鋼材５の間に、上部取付鋼板７が溶接される。上部取付鋼板７は、四角形で、これら上部鋼材５の長手方向に対し直角方向に配置される。また、一対が、所定間隔で、逆ハの字状に向かい合って斜めに位置される。そして、四角形の両側縁が、上部鋼材５の平らな側面５Ａに沿って溶接される。
この上部取付鋼板７が溶接される近傍において、上部鋼材５断面コの字の上部５Ｂには、デッキプレート１の波形の下側を受ける受け部材９が、一対の上部鋼材５に跨った状態で、溶接される。
【００１３】
これら各上部取付鋼板７に、斜め鋼材１１である溝形鋼の上端が溶接される。この溝形鋼の平らな一側面１１Ａ、つまり断面コの字の底部を、上部取付鋼板７の面に沿って溶接する。この溶接により一対の斜め鋼材１１が、逆ハの字状に配置され、両下端が下部鋼材１３に溶接され、逆三角が形成される。
【００１４】
下部鋼材１３は、一対の溝形鋼１５を、これら溝形鋼のコの字断面の開口部を互いに向かい合わせ、両コの字の下縁部１７を互いに溶接して構成される。そして、両コの字の底部で逆ハの字状の両側面１７Ａを形成することで、斜め鋼材１１との溶接に適する傾斜面を得る。下部鋼材１３の長手方向の複数箇所には、下部鋼材１３の断面の空間形状と同じ形状の鋼板が、補強材１９として溶接されている。
【００１５】
斜め鋼材１１が形成する逆三角形の下端は、上部取付鋼板７の真下ではなく、下部鋼材１３の長手方向に、所定距離ずれている。また、各上部取付鋼板７には、２本の斜め鋼材１１が溶接され、よって、一対の上部取付鋼板７に二対の斜め鋼材が溶接されることになり、２つの逆三角形が形成される。
【００１６】
２つの逆三角形の下端のずれは、下部鋼材１３の長手方向において逆方向である。また、このような一対の上部鋼材５、一対の上部取付鋼板７、一対の受け部材９、二対の斜め鋼材１１は、下部鋼材１３の長手方向に沿って複数が一定間隔に設けられるので、図３に示すような複数の三角形が連続するトラス構造２１が、下部鋼材１３に沿って形成される。
また、下部鋼材１３は、複数本が互いに平行に設けられ（図示しない）、したがって、このようなトラス構造２１は、複数が互いに平行に設けられる。
【００１７】
（実施形態の作用効果）
以上説明したように、下部鋼材１３の断面が、逆ハの字状の両側面１７Ａを有することで、この両側面１７Ａに沿って斜め鋼材１１の下端を溶接すればよく、従来のような下部取付鋼板１１３は不要になる。したがって、下部取付鋼板１１３の形状加工や下部鋼材１３への溶接の作業が要らなくなり、三角トラスのコストを低く抑えることができる。
また、従来のようにデッキプレート１０１の波形断面の両側面１０１Ａを溶接部分とする必要がない。よって、波形の寸法に影響されないで、大規模の三角トラスを容易に構成することができる。
【００１８】
また、一対の平行な上部鋼材５の間に、上部取付鋼板７を固定するに際し、上部鋼材５の互いに平行に対向させる平らな側面５Ａに沿って、上部取付鋼板７の四角形の両側縁が溶接されるので、上部取付鋼板７の任意の斜めの角度に対し、溶接が容易におこなわれる。
【００１９】
また、上部鋼材５や斜め鋼材１１に規定の溝形鋼を用いることで、特別な鋼材を用いる場合に比べ、三角トラスの強度を維持するとともに、コストを低く抑えることができる。
【００２０】
また、下部鋼材１３に一対の溝形鋼１５を溶接して用い、長手方向の複数箇所に補強材１９を溶接することで、下部鋼材１３の強度を維持し、コストを低くし、ひいては三角トラスのコストを低く抑えることができる。
【００２１】
（他の実施形態）
以上の実施形態においては、上部鋼材５は、溝形鋼であった（図４（Ｂ））が、他の実施形態においては、他の形鋼、例えば山形鋼とし、山形鋼の平らな一側面を、一対の上部鋼材５で互いに平行に対向させた状態にすることができる。このとき山形鋼は、二つの向きがある（図４（Ｃ）（Ｄ））。
【００２２】
また、以上の実施形態においては、斜め鋼材１１は溝形鋼であった（図４（Ｅ））が、他の実施形態においては、他の形鋼、例えば山形鋼（図４（Ｆ））とし、山形鋼の平らな一側面を、上部取付鋼板７の面に沿って溶接することもできる。このとき山形鋼は、二つの向きがある（図示せず）。
【００２３】
また、以上の実施形態においては、下部鋼材１３は、一対の溝形鋼を溶接して用いるものであった（図４（Ａ））が、他の実施形態においては、帯状の鋼板を曲げ加工して、開いたあるいは閉じた略箱形断面（図４（Ｇ）（Ｈ）（Ｉ）（Ｊ））を有し、この略箱形の両側面１３Ａが逆ハの字状を形成することとしても良い。
【００２４】
また、以上の実施形態においては、各鋼材などの部材は溶接によって固定するものであったが、他の実施形態においては、ボルトナットで固定するものであっても良い。
【００２５】
また、以上の実施形態においては、下部鋼材１３の断面の内部は空洞であったが、他の実施形態においては、下部鋼材１３の断面の内部へ、上方の開口からコンクリートを打設することで、トラス構造２１が支える屋根が風であおられてしまうことを防止する錘の役割を果たすものとしても良い。
また、以上の実施形態においては、上部取付鋼板７は、互いに独立した一対が逆ハの字状に配置されるものであったが、他の実施形態においては、一対の上部取付鋼板７は互いに上端が水平な平板によって連続された一体ものであっても良い。すなわち平板の両端が屈曲して一対の上部取付鋼板７を形成するものとしても良い。
【００２６】
【発明の効果】
以上説明したように、第一〜第六の発明のうちいづれかの発明によれば、逆ハの字状に配置される斜め鋼材の下端が固定されるための下部鋼材の断面が、逆ハの字状の両側面を有することで、従来のような下部取付鋼板は不要になり、したがって工場における下部取付鋼板の形状加工や下部鋼材への溶接の作業が要らなくなり、三角トラスのコストを低く抑えることができる。
【００２７】
また、第二〜第六の発明のうちいづれかの発明によれば、デッキプレートの波形断面の両側面を溶接部分とする必要がなく、波形の寸法に影響されないので、大規模の三角トラスも容易に得られる。
【００２８】
さらに、デッキプレートの下側を支える一対の上部鋼材の間に、一対の上部取付鋼板を固定するに際し、上部鋼材の互いに平行に対向させる平らな側面に沿って上部取付鋼板の両側縁が固定されるので、上部取付鋼板の任意の斜めの角度に対し、固定が容易である。
また、第三〜第六の発明のうちいづれかの発明によれば、上部鋼材や斜め鋼材に形鋼を用いることで、三角トラスのコストを低く抑えることができる。
また、第四〜第六の発明のうちいづれかの発明によれば、下部鋼材に溝形鋼を用いることで、三角トラスのコストを低く抑えることができる。
また、第六の発明によれば、下部鋼材は補強材により強度を向上できる。
【図面の簡単な説明】
【図１】この発明の一実施形態を示す斜視図である。
【図２】図１の要部を示す拡大図である。
【図３】図１の全体を示す側面図である。
【図４】（Ａ）は図１の正面図
（Ｂ）〜（Ｊ）は（Ａ）の各部の断面の変形例である。
【図５】従来例を示す全体側面図である。
【図６】図５の正面図である。
【符号の説明】
１  デッキプレート
３  屋根部分
５  上部鋼材
５Ａ  側面
５Ｂ  上部
７  上部取付鋼板
９  受け部材
１１  斜め鋼材
１１Ａ  側面
１３  下部鋼材
１５  溝形鋼
１７  下縁部
１７Ａ  両側面
１９   補強材
２１  トラス構造
【図１】
0004753503.tif 000002
【図２】
0004753503.tif 000003
【図３】
0004753503.tif 000004
【図４】
0004753503.tif 000005
【図５】
0004753503.tif 000006
【図６】
0004753503.tif 000007